(57)【要約】【課題】ホイールローダを始めとする作業車両において、簡単かつ安全に、作業中断時のエンジンの回転速度を低下させて、燃費を向上させると共に、騒音及び振動を低下させる。【解決手段】エンジンの出力が走行機と作業機に分配される特殊な作業車両において、作業車両の停止、作業機操作の中断、及び、作業車両の前後左右方向の傾斜が安全な範囲内にあることを条件に、エンジンのアイドル回転速度を標準アイドル回転速度から、低アイドル回転速度で維持するようにし、安全を損なわない範囲でエンジンのアイドル回転速度を抑制する。【選択図】図２
2010223164.tif 000002
【特許請求の範囲】
【請求項１】
エンジンの出力が、走行機と作業機に分配される作業車両用エンジンのアイドル回転速度自動制御方法であって、
ａ）作業車両の停止状態を判断し、作業機の操作の中断を判断し、作業車両の傾斜状態を判断するステップと、
ｂ）作業車両の停止が判断され、かつ、作業機操作の中断が判断され、かつ、作業車両の傾斜状態が、前後及び左右方向の傾斜角度が所定の角度範囲内である基準ポジションであるとき、エンジンのアイドル回転速度を標準アイドル回転速度よりも低回転の低アイドル回転速度に維持する制御を実行するステップと、
を含むことを特徴とする上記の作業車両用エンジンのアイドル回転速度自動制御方法。
【請求項２】
請求項１に記載の作業車両用エンジンのアイドル回転速度自動制御方法において、
作業車両の停止が判断され、かつ、作業機操作の中断が判断され、かつ、作業車両の左右方向の傾斜状態が、所定の角度範囲内である左右基準ポジションであり、かつ、作業車両の前後方向の傾斜角度が、所定の角度範囲を超えて後方が下がる後傾ポジションでないとき、エンジンのアイドル回転速度を標準アイドル回転速度よりも低回転の低アイドル回転速度に維持する制御を実行すること
を特徴とする上記の作業車両用エンジンのアイドル回転速度自動制御方法。
【請求項３】
作業車両の前後方向及び左右方向の傾斜角度に基づいて、作業車両が停止している傾斜平面の傾斜角度が算出され、作業車両の傾斜状態が、傾斜平面の傾斜角度に基づいて判断される請求項１又は２に記載の作業車両エンジンのアイドル回転速度自動制御方法。
【請求項４】
エンジンの回転速度が低アイドル回転速度で維持されている場合、ブレーキの解除及び作業機の操作のうち、少なくとも一方が実行されたとき、エンジンの回転速度を低アイドル回転速度に維持する制御をキャンセルする請求項１ないし３のいずれかに記載の作業車両エンジンのアイドル観点速度自動制御方法。
【請求項５】
低アイドル回転速度が、エンジンの停止を含む請求項１ないし４のいずれかに記載の作業車両用エンジンのアイドル回転速度自動制御方法。
【請求項６】
複数段階の低アイドル回転速度が設定され、作業車両の傾斜に応じ、所定の段階の低アイドル回転速度が選択される請求項１ないし５のいずれかに記載の作業車両用エンジンのアイドル回転速度自動制御方法。
【請求項７】
請求項１ないし６のいずれかに記載の作業車両用エンジンのアイドル回転速度自動制御方法に用いられ、車両停止状態判断手段と、作業状態判断手段と、傾斜状態判断手段と、エンジンのアイドル回転速度を低アイドル回転速度に制御する低回転速度制御手段とを具備する作業車両用エンジンのアイドル回転速度自動制御装置。
【発明の詳細な説明】
【技術分野】
【０００１】
本発明は、ホイールローダやオフロードダンプ等の作業車両用エンジンの、作業中断時のアイドル回転速度制御方法及びアイドル回転速度自動制御装置に関する。
【背景技術】
【０００２】
ホイールローダやオフロードダンプを始めとする一部の作業車両では、エンジンの出力が走行機と作業機に分配され、他の一般の作業車両とは異なる特殊な構成を有している。
【０００３】
これらの特殊な作業車両では、非走行状態においても作業機を駆動して作業する場合があるので、これを考慮して、標準アイドル回転速度は、エンジンストールしないでエンジンが安定して駆動し得るアイドル回転速度の下限近傍より高めに設定され、走行停止状態で、エンジンがアイドル状態でも、安定して作業機の駆動ができるように構成されている。
【０００４】
このため、ホイールローダではダンプ待ちなどの作業中断期間中でも、エンジンの回転速度は、比較的高い標準アイドル回転速度に維持されており、作業中断時の燃料の浪費、騒音や振動の増加といった特有の問題があった。
【０００５】
この点について、本願出願人は、特開昭６２−２２５７２７号公報（特許文献１）において、アクセルペダル、ステアリング、作業機レバーが操作されず、かつ、作業機が作業を行わない位置にある状態が一定時間継続すると、エンジンの回転速度を標準アイドル回転速度よりも低下させる制御装置を提案した。
【０００６】
この特許文献１に記載の技術によるときは、作業中断時にエンジンのアイドル回転速度を低下させる制御が実行されるので、作業中断を伴う停車時の消費燃料を節約すると共に、騒音や振動を抑制することができる。
【０００７】
しかしながら、ホイールローダやオフロードダンプのような作業車両は、未舗装路面、傾斜面、又は、轍や凹凸の多い荒地上等の不安定なオフロード環境で使用されることが多く、このため、作業車両自体が前後方向に加え、左右方向が組み合わさった複雑な角度で傾斜している割合が高く、また、その傾斜角度が、非常に大きい場合も稀ではない。
【０００８】
特許文献１に記載の技術では、上記のように作業車両が傾斜している場合、作業中断時に、エンジンの回転速度を低下させる制御が実行されると、作業車両の傾斜状態によっては、走行再開時にオペレータがブレーキを解除した瞬間、作業車両が、エンジンの回転速度不足によって斜面を下方にずり下がり始める場合がある。
【０００９】
このずり下がり方向がオペレータが意図しない方向である場合、オペレータは、瞬間的に作業車両の状況を把握することができなくなり、オペレータの動揺を誘発する場合がある、という問題があった。
【００１０】
一方で、作業車両以外の一般車両でも、停車中のエンジンの回転速度を制御する様々な技術が提案されている。
【００１１】
例えば、特開２００２−１９５０７９号公報（特許文献２）には、車両の傾斜状態を測定することにより、走行再開時のエンジンの回転速度を上昇させる技術が開示されている。
【００１２】
この特許文献２に記載の技術は、ディーゼルエンジンにおいて、登坂路で停車中に、アイドル状態から発車するときに、予めエンジンのアイドル回転速度を上げておき、ターボラグの発生を防止するものである。
【００１３】
このような一般車両では、特殊な作業車両のようにエンジンの出力が走行機と作業機に分配されることがなく、車両停止時の作業機の駆動力を担保するような必要もない。
【００１４】
このため、一般車両では、エンジンの標準アイドル回転速度は、通常、エンジンストールしない回転速度の下限近傍に設定されており、作業車両のように高めに設定されることはない。
【００１５】
この特許文献２に記載の技術でも、エンジンの標準アイドル回転速度は、エンジンストールしない回転速度の下限近傍に設定されるものであって、一般車両の傾斜に応じて高めのアイドル回転速度が必要な場合には、通常の低回転のアイドル回転速度より、そのアイドル回転速度を高める制御を実行し、そのアイドル回転速度を一時的に高めるよう構成されている。
【００１６】
従って、このような一般車両に採用されている車両の傾斜に応じて、エンジンのアイドル回転速度を制御するシステムは、作業車両のシステムとは、その前提となる技術が全く異なり、エンジン出力の分配という特殊なシステムの採用を前提とした作業車両に転用することはできない。
【００１７】
また、一般車両では、燃料の消費率を下げるために、停車中のエンジンの回転速度を制御しようとしても、既に、燃費に影響を及ぼす程度にアイドル回転速度を低下させる余地が残されていないので、例えば、内燃機関とバッテリを組み合わせたハイブリッド車や、路線バス等で見られるように、一時停車時にエンジンを自動停止させて、燃料消費を抑制せざるを得ず、この点からも、停車時のアイドル回転速度の制御技術においては、作業車両と一般車両との間で、技術の相互利用はできないことは明らかである。
【００１８】
さらに、一般車両では、建設現場のような急斜面、不規則な起伏が連続するオフロード、更には、車両の進行方向に対して左右方向の大きな傾斜を伴った、又は、前後左右の傾斜が複雑に組み合わさった斜面での停車及び発車は想定されておらず、このような想定されていない条件下での作業車両の発車時の問題を解決するために、一般車両の技術を転用することはできない。
【先行技術文献】
【特許文献】
【００１９】
【特許文献１】特開昭６２−２２５７２７号公報
【特許文献２】特開２００２−１９５０７９号公報
【発明の概要】
【発明が解決しようとする課題】
【００２０】
本願発明は上記の問題を解決するためになされたものであって、ホイールローダやオフロードダンプを始めとする特殊な作業車両において、安全性を確保した上で、作業中断時のエンジンの回転速度を低下させて、燃費を向上させると共に、排気ガス量、騒音及び振動を低下させることを目的とする。
【課題を解決するための手段】
【００２１】
上記の目的は、
エンジンの出力が、走行機と作業機に分配される作業車両用エンジンのアイドル回転速度自動制御方法であって、
ａ）作業車両の停止状態を判断し、作業機の操作の中断を判断し、作業車両の傾斜状態を判断するステップと、
ｂ）作業車両の停止が判断され、かつ、作業機操作の中断が判断され、かつ、作業車両の傾斜状態が、前後及び左右方向の傾斜角度が所定の角度範囲内である基準ポジションであるとき、エンジンのアイドル回転速度を標準アイドル回転速度よりも低回転の低アイドル回転速度に維持する制御を実行するステップと、
を含むことを特徴とする上記の作業車両用エンジンのアイドル回転速度自動制御方法によって達成される。
【００２２】
上記の方法によるときは、作業中断中の作業車両が傾斜せずに安定して停止しているときにのみ、エンジンの回転速度が低アイドル回転速度に維持されるので、作業又は走行再開時に作業車両がオペレータの意思に反して前後にずり下がる恐れがないと共に、燃料の消費量及び排気ガス量を効果的に抑制でき、さらに、騒音や振動を低減させることができる。
【００２３】
また、上記の目的は、上記の作業車両用エンジンのアイドル回転速度自動制御方法において、
作業車両の停止が判断され、かつ、作業機操作の中断が判断され、かつ、作業車両の左右方向の傾斜状態が、所定の角度範囲内である左右基準ポジションであり、かつ、作業車両の前後方向の傾斜角度が、所定の角度範囲を超えて後方が下がる後傾ポジションでないとき、エンジンのアイドル回転速度を標準アイドル回転速度よりも低回転の低アイドル回転速度に維持する制御を実行するようにしてもよい。
【００２４】
上記の方法によるときは、作業中断中の作業車両が後方にずり下がる恐れがない状態で停止しているときにのみ、エンジンの回転速度が低アイドル回転速度に維持されるので、作業又は走行再開時に作業車両がオペレータの意思に反した挙動をせず、安全に操作できると共に、燃料消費及び排気ガス量を効率的に抑制し、さらに、騒音振動を低下させることができる。
【００２５】
また、上記の目的は、上記の作業車両用エンジンのアイドル回転速度自動制御方法において、
作業車両の前後方向及び左右方向の傾斜角度に基づいて、作業車両が停止している傾斜平面の傾斜角度が算出され、作業車両の傾斜状態が、傾斜平面の傾斜角度に基づいて判断されるようにしてもよい。
【００２６】
上記の方法によるときは、作業車両が停止している傾斜平面の斜度に即してアイドル回転速度を制御でき、エンジンのアイドル回転速度を安全かつ効率的に制御できるようになって、燃料消費、排気ガス排出量、騒音及び振動を更に低減できるようになる。
【００２７】
また、上記の作業車両用エンジンのアイドル回転速度自動制御方法において、
エンジンの回転速度が低アイドル回転速度で維持されている場合、ブレーキの解除及び作業機の操作のうち、少なくとも一方が実行されたとき、エンジンの回転速度を低アイドル回転速度に維持する制御をキャンセルすることが推奨される。
【００２８】
上記の方法によるときは、低アイドル回転速度で維持されているときに、エンジンの駆動が不安定になったり、エンジンストールしたりすることなく、走行又は作業に速やかに復帰できるようになる。
【００２９】
また、上記の作業車両用エンジンのアイドル回転速度自動制御方法において、低アイドル回転速度が、エンジンの停止を含むよう構成してもよい。
【００３０】
上記の方法によるときは、所定の条件を満たしたときには、エンジンが停止され、燃料消費、排気ガス排出量、騒音及び振動を更に低減できるようになる。
【００３１】
また、上記の作業車両用エンジンのアイドル回転速度自動制御方法において、複数段階の低アイドル回転速度が設定され、作業車両の傾斜に応じ、所定の段階の低アイドル回転速度が選択されるよう構成してもよい。
【００３２】
上記の方法によるときは、作業車両の状態に応じて、最も安全かつ高効率の低アイドル回転速度を設定できるようになって、燃料消費、排気ガス排出量、騒音及び振動を更に低減できるようになる。
【００３３】
また、上記の作業車両用エンジンのアイドル回転速度自動制御方法には、車両停止状態判断手段と、作業状態判断手段と、傾斜状態判断手段と、エンジンのアイドル回転速度を低アイドル回転速度に制御する低回転速度制御手段とを具備する作業車両用エンジンのアイドル回転速度自動制御装置を用いることが推奨される。
【発明の効果】
【００３４】
本発明によるときは、作業車両のアイドル回転速度を低下させる制御の要否の判断が、極めて的確に行われるようになるので、安全性を損なうことなく、燃費を向上させ、排気ガス量を減少させ、騒音及び振動を低下させることができるようになる。
【図面の簡単な説明】
【００３５】
【図１】図１は本発明に係る作業車両用エンジンのアイドル回転速度自動制御装置の構成を示すシステム構成図である。
【図２】図２は図１に示した制御装置のアイドル回転速度の制御状態を示すフローチャートである。
【図３】図３は図１に示した制御装置の車両状態とアイドル回転速度との関係を示したパターン図である。
【発明を実施するための形態】
【００３６】
本発明においては、作業中断を伴う作業車両の停止時に、作業車両の傾斜状態に応じて、エンジンのアイドル回転速度を標準アイドル回転速度より低下させることによって、作業中断時のエンジンのアイドル回転速度を低下させる制御を安全に実行できるようにした。
以下、実施例に基づき、本発明を具体的に説明する。
【００３７】
なお、本明細書において、「ブレーキを解除したときに作業車両がずり下がる」とは、作業車両が実際にずり下がり始める状態に限定されるものではなく、実際にはずり下がり始めなくとも、ずり下がり始める状態に極めて近い状態を含むものであって、ずり下がり始めると見做される状態を含むものである。
【実施例１】
【００３８】
図１は、本発明に係る作業車両用エンジンのアイドル回転速度自動制御装置の構成を示すシステム構成図である。
【００３９】
図１中、１はエンジン、１０は回転速度センサ、１１は水温センサ、２はコントローラ、３は電子ガバナ制御手段、４は車両停止状態判断手段、４０はブレーキセンサ、４１は速度センサ、４２はタイマ、５は作業状態判断手段、５０は作業機操作センサ、５１は作業機位置センサ、５２は作業機負荷センサ、５３はステアリング操作センサ、６は傾斜状態判断手段、６０は前後傾斜センサ、６１は左右傾斜センサ、７は低回転速度制御手段である。
【００４０】
なお、図１中、本願発明に直接関係のない構成、例えば、エンジンの出力軸に接続される走行機や作業機等の構成については、その記載を省略した。
【００４１】
エンジン１は、作業車両、具体的にはホイールローダのエンジンであり、エンジン１の出力は、図示しないＰＴＯ軸を介して、走行機及び作業機に分配され、ホイールローダの走行及び作業に利用される。
【００４２】
コントローラ２は、作業車両の駆動を制御するものであって、電子ガバナ制御手段３、車両停止状態判断手段４、作業状態判断手段５、傾斜状態判断手段６及び低回転速度制御手段７を含むものである。
【００４３】
回転速度センサ１０は、エンジン１に設けられ、エンジン１の回転速度を検出するものである。
【００４４】
電子ガバナ制御手段３は、エンジン１に接続され、図示しない操作子、具体的にはアクセルペダル、ブレーキペダル、作業機の操作レバー、速度段制御レバー等からの入力に応じ、エンジン１に供給される燃料の量を調整し、エンジン１の回転速度を制御するものである。
【００４５】
また、この電子ガバナ制御手段３は、走行機の駆動が中断しているときには、エンジン１の回転速度が、標準アイドル回転速度で維持されるよう、エンジン１への燃料の供給量を制御するものである。
【００４６】
この作業車両における標準アイドル回転速度は、作業車両が非走行状態においても作業機を駆動して作業することを考慮して、停車中に作業を行ってもエンジンストールしないよう、エンジン１が安定して駆動し得るアイドル回転速度の下限、具体的には５０ｒｐｍより高い、例えば、７００ないし８００ｒｐｍに設定されている。
【００４７】
低回転速度制御手段７は、電子ガバナ制御手段３に接続され、後述する車両停止状態判断手段４、作業状態判断手段５及び傾斜状態判断手段６から入力される信号に基づき、所定の条件が整ったときには、エンジン１の回転速度が、低アイドル回転速度で維持されるよう、電子ガバナ制御手段３に対し、エンジン１への燃料の供給量を制御する低アイドル回転信号を発信するものである。
【００４８】
この低アイドル回転速度とは、エンジン１が安定して駆動し得るアイドル回転速度の下限近傍の回転速度であって、標準アイドル回転速度より低速度、例えば、５０ないし２００ｒｐｍに設定される。
【００４９】
車両停止状態判断手段４は、作業車両の停止状態を判断するものであって、低回転速度制御手段７に接続され、後述するセンサ等からの入力に応じて、低回転速度制御手段７に対し、後述する通り停止信号を発信する。
【００５０】
この車両停止状態判断手段４には、水温センサ１１、ブレーキセンサ４０、速度センサ４１及びタイマ４２が接続される。
【００５１】
水温センサ１１は、エンジン１の水温が、所定の水温以上の場合、車両停止状態判断手段４に対して信号を発信する。
【００５２】
ブレーキセンサ４０は、ブレーキ操作がなされたとき、車両停止状態判断手段４に対して信号を発信する。
【００５３】
速度センサ４１は、作業車両の速度が所定の速度以下、具体的には、時速０．１ｋｍ以下（停車を含む）となったとき、車両が停止したと見做して、車両停止状態判断手段４に対して信号を発信する。
【００５４】
タイマ４２は、ブレーキセンサ４０及び速度センサ４１からの信号の継続時間を計測し、これらセンサからの信号が所定時間以上、例えば、５秒以上継続したとき、車両停止状態判断手段４に対して信号を発信する。
【００５５】
車両停止状態判断手段４は、水温センサ１１から信号が入力されていることと、タイマ４２から、ブレーキセンサ４０及び速度センサ４１からの各信号の入力の所定時間継続を示す信号が入力されていることを条件に、低回転速度制御手段７に対し、停止信号を発信する。
【００５６】
作業状態判断手段５は、作業機の操作の中断を判断するものであって、低回転速度制御手段７に接続され、後述するセンサからの入力に応じて、低回転速度制御手段７に対し、後述する通り作業中断信号を発信する。
【００５７】
この作業状態判断手段５には、作業機操作センサ５０、作業機位置センサ５１、作業機負荷センサ５２及びステアリング操作センサ５３が接続される。
【００５８】
作業機操作センサ５０は、作業機を操作する図示しない操作レバーや操作ペダルからの入力がないとき、作業状態判断手段５に対して信号を発信する。
【００５９】
作業機位置センサ５１は、作業機が中立位置、即ち、バケットが中立位置であるとき、作業状態判断手段５に対して信号を発信する。
【００６０】
作業機負荷センサ５２は、作業機に負荷がないとき、具体的には、バケットに砂岩等が保持されていないとき、作業状態判断手段５に対して信号を発信する。
【００６１】
ステアリング操作センサ５３は、ステアリングが所定の範囲内の略直進性を保持、具体的には、ステアリングが直進状態、又は、直進方向を０度として、左右方向にそれぞれ１０度以内に切られているとき、かつ、ステアリングの操作がなされていないとき、作業状態判断手段５に対して信号を発信する。
【００６２】
作業状態判断手段５は、作業機操作センサ５０、作業機位置センサ５１、作業機負荷センサ５２及びステアリング操作センサ５３からの信号が全て入力されていることを条件に、低回転速度制御手段７に対し、作業中断信号を発信する。
【００６３】
傾斜状態判断手段６は、低回転速度制御手段７に接続され、後述するセンサからの入力に応じて、低回転速度制御手段７に対し、後述する通り安全傾斜信号を発信する。
【００６４】
傾斜状態判断手段６には、前後傾斜センサ６０及び左右傾斜センサ６１が接続される。
【００６５】
前後傾斜センサ６０は、図示しない作業車両の本体に設けられ、作業車両の前後方向の傾斜度を計測し、作業車両が前後に所定の傾斜角度以内、例えば、２．５度以内で傾斜しているとき、作業車両が、前後基準ポジションにあると判断して、傾斜状態判断手段６に対して信号を発信する。
【００６６】
この所定の傾斜角度とは、この作業車両のエンジンが停止、又は、エンジンストールしない限界回転速度近傍で安定してアイドル回転しているときに、ブレーキが開放された場合、作業車両がずり下がり始める限界の傾斜角度である。
【００６７】
また、前後基準ポジションとは、停止状態の作業車両のブレーキを開放したときに、作業車両が前方又は後方にずり下がらないことが想定される状態をいう。
【００６８】
左右傾斜センサ６１は、図示しない作業車両の本体に設けられ、作業車両の左右方向の傾斜度を計測し、作業車両が（水平を含む）左右に所定の傾斜角度以内、例えば、５度以内で傾斜しているとき、作業車両が、左右基準ポジションにあると判断して、傾斜状態判断手段６に対して信号を発信する。
【００６９】
傾斜状態判断手段６は、前後傾斜センサ６０及び左右傾斜センサ６１からの信号が共に入力されていることを条件に、作業車両が、前後及び左右方向の傾斜角度が所定の角度範囲内である基準ポジションにあると判断して、低回転速度制御手段７に対し、安全傾斜信号を発信する。
【００７０】
次に、図２に基づき、上記実施例におけるエンジンのアイドル回転速度の制御状態について説明する。
【００７１】
図２は、図１に示した制御装置のアイドル回転速度の制御状態を示すフローチャートである。
【００７２】
上記の作業車両において、ブレーキ操作などの車両の停止操作（ステップ１０１）が行われると、続いて、ブレーキの開放、アクセル操作などの車両の発進操作の有無が判断（ステップ１０２）される。
【００７３】
発進操作がある場合、本発明にかかるアイドル回転速度自動制御方法は終了する。
【００７４】
発進操作がない場合、回転速度センサ１０の検出情報に基づき、電子ガバナ制御手段３がエンジン１に対する燃料の供給量を制御し、エンジンの回転速度が標準アイドル回転速度で維持（ステップ１０３）される。
【００７５】
次に、低回転速度制御手段７において、車両停止状態判断手段４からの停止信号の発信の有無が判断（ステップ１０４）される。
【００７６】
車両停止状態判断手段４から、停止信号の発信がないとき、作業車両の停止は、走行及び作業途中の一時的な停車として、発進操作の有無を判断するステップ１０２に戻る。
【００７７】
車両停止状態判断手段４から、停止信号の発信があるときは、低回転速度制御手段７において、作業状態判断手段５からの作業中断信号の有無が判断（ステップ１０５）される。
【００７８】
作業状態判断手段５から、作業中断信号の発信がないとき、作業車両の停止は、作業継続中の停止として、発進操作の有無を判断するステップ１０２に戻る。
【００７９】
作業状態判断手段５から、作業中断信号の発信があるときは、低回転速度制御手段７において、傾斜状態判断手段６からの安全傾斜信号の有無が判断（ステップ１０６）される。
【００８０】
傾斜状態判断手段６から、安全傾斜信号の発信がないとき、走行再開時に、作業車両のずり下がりや、エンジンストール、又は、エンジン駆動の不安定化の恐れがあるものとして、発進操作の有無を判断するステップ１０２に戻る。
【００８１】
傾斜状態判断手段６から、安全傾斜信号の発信があるときは、低回転速度制御手段７には、車両停止状態判断手段４から停止信号、作業状態判断手段５から作業中断信号、及び、傾斜状態判断手段６から安全傾斜信号を受信することになり、作業車両の、停止、作業中断及び安全傾斜を確認する全ての条件が成立したことが確認されるので、低回転速度制御手段７は、電子ガバナ制御手段３に対し、低アイドル回転信号を発信する。
【００８２】
低アイドル回転信号を受信した電子ガバナ制御手段３は、回転速度センサ１０によって得られたエンジン１の回転速度の情報に基づき、エンジン１の回転速度を予め定められている低アイドル回転速度で維持されるよう、エンジン１への燃料供給量を制御し、エンジン１の回転速度が、低アイドル回転速度で維持（ステップ１０７）される。
【００８３】
エンジン１の回転速度が低アイドル回転速度に維持されると、車両停止状態判断手段４、作業状態判断手段５及び傾斜状態判断手段６から発信される信号の変化の有無が絶えず監視（ステップ１０８）され、変化がなければ、エンジン１の回転速度が低アイドル回転速度に維持され続ける。
【００８４】
エンジン１の回転速度が低アイドル回転速度に維持されているとき、車両停止状態判断手段４、作業状態判断手段５及び傾斜状態判断手段６から発信される信号の少なくとも一部に変化があったとき、発進操作の有無を判断するステップ１０２に戻り、発進操作の有無に応じ、発進操作がないときには、電子ガバナ制御手段３が、エンジン１のアイドル回転速度を標準アイドル回転速度で維持させる。
【００８５】
また、このとき、発進操作がある場合には、アイドル回転速度の制御自体を終了させ、電子ガバナ制御手段３が、発進操作に応じて、エンジン１の回転速度を制御する。
【００８６】
次に、図３に基づき、上記実施例の作業車両における車両状態と、アイドル回転速度の制御との関係を説明する。
【００８７】
図３は、図１に示した制御装置の車両状態とアイドル回転速度との関係を示したパターン図である。
【００８８】
このパターン図中、作業車両の車両状態が、二重線の上側の条件であるときは、作業車両が作業中断を伴う停止状態にあり、かつ、車両の傾斜も安全な状態であると見做し、エンジン１の回転速度が低アイドル回転速度で維持される。
【００８９】
また、このパターン図中、作業車両の車両状態が、二重線の下側の条件であるときは、作業車両が作業中断を伴う停止状態にはない、又は、そのような停止状態であっても、エンジン１の回転速度を低アイドル回転速度に変更すると、再発進時にずり下がりやエンジンストールを伴う可能性があるもの、と見做し、エンジン１の回転速度が標準アイドル回転速度で維持され、又は標準アイドル回転速度に復帰する。
【００９０】
具体的には、車両の停止操作が行われた場合、まず、第１段階として、車両停止状態判断手段４によって、１）エンジンの水温、２）ブレーキ操作の継続、３）車両速度、及び、４）ブレーキ操作、並びに、所定速度以下の車両速度の継続時間に関する情報が判断される。
【００９１】
エンジン１の水温が所定の水温以下のとき、例えば、エンジン１の始動直後、又は、オーバークール時には、エンジン１の回転速度を低下させると、エンジンストールする恐れがあるため、水温センサ１１は、車両停止状態判断手段４に対して信号を発信しないので、車両停止状態判断手段４は、停止信号を発信しない。
【００９２】
図示しないブレーキペダルが踏まれ（ブレーキ操作）、かつ、その踏まれている時間が所定時間継続していない場合、オペレータのブレーキ操作は、作業中断を伴う車両停止を意図したものではない、と見做し、車両停止状態判断手段４は、停止信号を発信しない。
【００９３】
また、停止信号の発信状態で、ブレーキ操作が解除された場合、作業車両は発進するものとして見做し、車両停止状態判断手段４は、停止信号の発信を停止する。
【００９４】
車両速度が所定の速度を超えている場合、車両停止状態判断手段４は、停止信号を発信しない。
【００９５】
車両速度が所定の速度以下になったとしても、その状態が所定時間継続していない場合、作業車両の減速及び停止は、作業中断を伴った車両停止を意図したものではない、と見做し、車両停止状態判断手段４は、停止信号を発信しない。
【００９６】
上記の通り、停止信号が発信されないときは、エンジン１の回転速度は、標準アイドル回転速度で維持され、低アイドル回転速度に変更されない。
【００９７】
反対に、エンジン水温が所定の水温以上、所定時間以上継続するブレーキ操作、及び、所定の速度以下の車両速度が所定時間以上継続、という全ての条件が成立したとき、車両停止状態判断手段４は、作業車両が停止しているとして、低回転速度制御手段７に停止信号を発信する。
【００９８】
車両停止状態判断手段４から、停止信号が発信されている場合、次に、第２段階として、作業状態判断手段５によって、１）作業機のレバー又はペダルの操作の有無、２）バケットの位置、３）バケットの負荷状態、４）ステアリング操作の有無、５）ステアリング角に関する情報が判断される。
【００９９】
車両停止状態判断手段４から、停止信号が発信されているとき、図示しない作業機のレバー又はペダルが操作されている場合、車両停止状態での作業が継続中であると見做し、作業状態判断手段５は、作業中断信号を発信しない。
【０１００】
車両停止状態判断手段４から、停止信号が発信されているとき、図示しないバケットの位置が予め定められている中立位置にない場合、例えば、リフト位置にある場合などには、車両停止状態での作業が継続中であると見做し、作業状態判断手段５は、作業中断信号を発信しない。
【０１０１】
車両停止状態判断手段４から、停止信号が発信されているとき、図示しないバケットに、砂岩等の積載物が保持されている場合、車両停止状態での作業が継続中であると見做し、作業状態判断手段５は、作業中断信号を発信しない。
【０１０２】
車両停止状態判断手段４から、停止信号が発信されているとき、図示しないステアリングが操作されている場合、オペレータが作業車両の移動を意図していると見做し、作業状態判断手段５は、作業中断信号を発信しない。
【０１０３】
車両停止状態判断手段４から、停止信号が発信されているとき、図示しないステアリング角が、所定の角度の範囲外である場合、アイドル回転速度を低下させると、走行又は作業復帰時に、エンジンストールする可能性があるため、作業状態判断手段５は、作業中断信号を発信しない。
【０１０４】
上記の通り、作業中断信号が発信されないときは、停止信号の発信が継続中でも、エンジン１の回転速度は、標準アイドル回転速度で維持され、低アイドル回転速度に変更されない。
【０１０５】
反対に、作業機のレバー又はペダルの操作なし、バケットが中立位置、バケットが空荷、ステアリング操作なし、及び、ステアリング角が所定角度範囲内、という全ての条件が成立したとき、作業状態判断手段５は、作業が中断しているものとして、低回転速度制御手段７に、作業中断信号を発信する。
【０１０６】
車両停止状態判断手段４から停止信号が発信され、かつ、作業状態判断手段５から作業中断信号が発信されている場合、次に、第３段階として、傾斜状態判断手段６によって、作業車両の、１）前後方向の傾斜角度、及び、２）左右方向の傾斜角度に関する情報が判断される。
【０１０７】
車両停止状態判断手段４から停止信号が発信され、かつ、作業状態判断手段５から作業中断信号が発信されているとき、前後傾斜センサ６０によって、作業車両の前後方向の傾斜角度が、所定の範囲を超えている場合、アイドル回転速度を低下させると、走行復帰時にブレーキ操作を解除すると、作業車両がずり下がる可能性があるため、傾斜状態判断手段６は、安全傾斜信号を発信しない。
【０１０８】
車両停止状態判断手段４から停止信号が発信され、かつ、作業状態判断手段５から作業中断信号が発信されているとき、左右傾斜センサ６１によって、作業車両の左右方向の傾斜角度が、所定の範囲を超えている場合、キャンパー走行のように、駆動力を必要とする状態であることが想定され、アイドル回転数を低下させると、走行復帰時に、エンジンストールする可能性があるため、傾斜状態判断手段６は、安全傾斜信号を発信しない。
【０１０９】
上記の通り、安全傾斜信号が発信されないときは、停止信号及び作業中断信号の発信が継続中でも、エンジン１の回転速度は、標準アイドル回転速度で維持され、低アイドル回転速度に変更されない。
【０１１０】
反対に、前後方向及び左右方向の傾斜角度が所定角度範囲内という全ての条件が成立したとき、傾斜状態判断手段６は、作業車両の傾斜角度が安全であるとして、低回転速度制御手段に、安全傾斜信号を発信する。
【０１１１】
低回転速度制御手段７は、車両停止状態判断手段４、作業状態判断手段５及び傾斜状態判断手段６から、停止信号、作業中断信号、及び、安全傾斜信号の入力が継続している場合、即ち、図３のパターン図中、二重線の上側に示したすべての条件が成立している場合のみ、エンジン１の回転速度を標準アイドル回転速度から、低アイドル回転速度に変更する低アイドル回転信号を発信し、車両状態を示す各信号の入力状態に変化があるまで、エンジン１の回転速度は低アイドル回転速度に維持される。
【０１１２】
本発明に係る作業車両用エンジンのアイドル回転速度自動制御方法は、上記のように構成されるので、本発明によるときは、走行又は作業の再開時に、作業車両のずり下がりや、エンジンストール、エンジン駆動の不安定化などの可能性がない場合に限り、作業車両の作業中断を伴う車両停止時に、エンジン１のアイドル回転速度を低下させることができるので、安全性を損なうことなく、燃料の節約、及び、騒音並びに振動の低減を図ることができるようになる。
【実施例２】
【０１１３】
次に、本発明に係る作業車両用エンジンのアイドル回転速度自動制御装置の他の実施例について説明する。
【０１１４】
なお、この実施例の主要な構成及び作用は、〔実施例１〕と同様であるので、相違点を中心に説明する。
【０１１５】
この実施例では、傾斜状態判断手段６は、左右の傾斜角度が所定の角度範囲内であるか否か、と共に、作業車両が後傾ポジションであるか否かを判断する。
【０１１６】
後傾ポジションとは、停止状態の作業車両のブレーキを開放したときに、作業車両が後方にずり下がることが想定される角度に傾斜した状態をいい、後方にずり下がらずに、作業車両の停止が維持される限界となる傾斜角度としては、例えば、３度が挙げられる。
【０１１７】
この実施例では、前後傾斜センサ６０、及び、左右傾斜センサ６１から入力される作業車両の傾斜情報に基づき、作業車両の前後方向の傾斜状態が、後傾ポジションでない場合、かつ、左右方向の傾斜状態が左右基準ポジションである場合に、傾斜状態判断手段６は、低回転速度制御手段７に対して安全傾斜信号が発信される。
【０１１８】
また、少なくとも、作業車両の前後方向の傾斜状態が後傾ポジションであるか、左右方向の傾斜状態が左右基準ポジションでない場合、傾斜状態判断手段６は、低回転速度制御手段に対して安全傾斜信号を発信しない。
【０１１９】
この実施例によるときは、前後方向の傾斜状態が後傾ポジションでない場合、即ち、ブレーキの開放によって、作業車両が前方にずり下がる状況でも、エンジン１の回転速度が、低アイドル回転速度で維持される。
【０１２０】
この実施例において、作業車両が前方にずり下がる状況でも、低アイドル回転速度を維持するようにした理由は、作業車両が、作業中断を伴う停止状態から、走行状態に復帰する場合、基本的に、作業車両を前方に走行させるため、オペレータにとって、ブレーキの開放と共に、作業車両が前方にずり下がっても不自然さを感じることがないと共に、作業車両の停止している地面が、作業車両の前方が下がるよう傾斜している場合、作業車両の車重が走行方向に作用するので、走行再開時に、大きな駆動力を必要とせず、走行再開に伴ってエンジン１に負担がかかることもないので、前方へずり下がる状況でも、エンジン１の回転速度を低アイドル回転速度で維持することに、安全上の問題は生じないからである。
【０１２１】
この実施例によるときは、安全に支障を及ぼさない範囲で、エンジン１のアイドル回転速度を低下させることができるので、燃料の節約、及び、騒音並びに振動の低減を図ることができるようになる。
【実施例３】
【０１２２】
次に、本発明に係る作業車両用エンジンのアイドル回転速度自動制御装置の他の実施例について説明する。
【０１２３】
なお、この実施例の主要な構成及び作用は、〔実施例１〕と同様であるので、相違点を中心に説明する。
【０１２４】
この実施例では、傾斜状態判断手段６は、作業車両が前後基準ポジション、前傾ポジション、並びに、後傾ポジションのいずれの傾斜状態であるか、及び、左右の傾斜角度が左右基準ポジションであるか否か、を判断する。
【０１２５】
前傾ポジションとは、停止状態の作業車両のブレーキを開放したときに、作業車両が前方にずり下がることが想定される角度に傾斜した状態をいい、前方にずり下がらずに、作業車両の停止が維持される限界となる傾斜角度としては、例えば、３度が挙げられる。
【０１２６】
また、この実施例では、傾斜状態判断手段６又は低回転速度制御手段７には、作業車両の前傾ポジション時のエンジン１の回転速度を標準アイドル回転速度とするか、又は、低アイドル回転速度とするか、を選択する切り替え手段が設けられる。
【０１２７】
この実施例では、使用状況に応じ、傾斜状態判断手段６又は低回転速度制御手段７の設定を変更することによって、作業車両が前傾ポジションにあるとき、エンジン１の回転速度を、標準アイドル回転速度で維持するか、又は、低アイドル回転速度で維持するか、を選択できるようになっている。
【０１２８】
例えば、低アイドル回転速度の条件から前傾ポジションを除外すると、前後傾斜センサ６０、及び左右傾斜センサ６１から入力させる作業車両の傾斜情報に基づき、作業車両が、前後基準ポジション、かつ、左右基準ポジションである場合に、傾斜状態判断手段６は、低回転速度制御手段７に安全傾斜信号が発信される。
【０１２９】
また、例えば、低アイドル回転速度の条件に前傾ポジションを含めると、前後傾斜センサ６０、及び左右傾斜センサ６１から入力させる作業車両の傾斜情報に基づき、作業車両が、前後基準ポジション又は前傾ポジション、かつ、左右基準ポジションである場合に、傾斜状態判断手段６は、低回転速度制御手段７に安全傾斜信号が発信される。
【０１３０】
この実施例では、作業環境やユーザーのニーズに応じて、走行再開時の前方へのずり下がりを許容するか否かを設定できるので、燃料の節約、及び、騒音並びに振動の低減を更に図ることができるようになる。
【実施例４】
【０１３１】
次に、本発明に係る作業車両用エンジンのアイドル回転速度自動制御装置の他の実施例について説明する。
【０１３２】
なお、この実施例の主要な構成及び作用は、〔実施例３〕と同様であるので、相違点を中心に説明する。
【０１３３】
この実施例では、傾斜状態判断手段６は、得られた前後方向及び左右方向の傾斜角度に基づいて、作業車両が停止している傾斜平面の傾斜角度を算出し、得られた傾斜平面の傾斜角度に基づき、作業車両の傾斜状態を判断する。
【０１３４】
この傾斜平面は、例えば、作業車両の前輪の接地点を結ぶ直線と、後輪の接地点を結ぶ直線を含む略平面である。
【０１３５】
また、この実施例では、傾斜平面に基づいて作業車両の傾斜状態、即ち、ずり下がりを伴う傾斜状態であるか否かが判断されるが、これとは別に、前後傾斜センサ６０又は左右傾斜センサ６１から得られた傾斜角度について、制御限界値が設定されている。
【０１３６】
この制御限界値は、例えば、前傾ポジションの場合でも、その前傾角度が、極端に大きい傾斜角度、例えば、前後３度以上、左右１０度以上、及び、傾斜平面５度以上のうち、少なくとも１種類以上の傾斜角度を超えて傾斜しているときには、ずり下がり防止のため、エンジン１を低アイドル回転速度で制御しないようにするものであって、この傾斜角度のデータは、前後傾斜センサ６０、左右傾斜センサ６１から得られる傾斜角度、及び、得られた傾斜平面それぞれに設けられるものである。
【０１３７】
また、この実施例では、低回転速度制御手段７は、低アイドル回転速度として、通常の低アイドル回転速度に加え、エンジンの一時停止の２段階の速度が設定されており、作業車両の停止条件に応じて、エンジン１の低アイドル回転速度の維持の制御、又は、エンジンの一時停止を指令し得るものである。
【０１３８】
このエンジンの一時停止は、例えば、作業車両の前後の傾斜状態が前傾ポジションのとき実行される。
【０１３９】
この実施例において、エンジンの一時停止時に発進操作がなされ、ブレーキが開放されると、作業車両が前方にずり下がり始めるが、ずり下がり方向と、発進方向が一致しているため、発進操作直後に強大な駆動力は必要とされていない。
【０１４０】
このため、上記の停止状態の場合、エンジン１の駆動が一時的に停止されていても、安全上の問題は生じない。
【０１４１】
上記の実施例によるときは、安全性を損なうことなく、エンジンのアイドル回転速度を低下させる制御を行うことができるので、燃料の消費量の節約と、騒音及び振動の低下を効果的に実現できるものである。
【０１４２】
なお、本発明は上記の実施例に限定されるものではなく、例えば、上記の実施例では、作業車両は、ホイールローダとしたが、エンジンの出力が走行機と作業機に分配されて駆動する他の作業車両、例えば、オフロードダンプとしてもよい。
【０１４３】
この場合、バケットに相当する作業機は、ベッセルとなり、作業中断の判断において、ベッセルが「上げ」の位置にあり、また、ベッセルに砂岩等が積載しているときには、車両停止状態での作業が継続中であると見做されるものとする。
【０１４４】
また、ホイールローダでは、作業中断を伴う車両停止状態としては、空荷のダンプ待ちなどが考えられるが、オフロードダンプの場合、オペレータが乗務する場合や、遠隔操作や運行プログラムに従って、無人運行される場合などで、例えば、安全確保のために、障害車両の通過待ちや、障害物との接触防止のため、オフロードダンプが停止した状態が考えられる。
【０１４５】
また、低アイドル回転速度による制御を実行する条件、具体的には、エンジン水温、停止状態の継続時間、ブレーキ操作の継続時間、停止状態と見做す車両速度、車両の傾斜角度等の条件は、上記の実施例に限定されるものではなく、作業車両の種類、大きさ、使用環境に応じて、自由に変更することができる。
【０１４６】
また、上記の実施例では、車両状態を判断する際に、静止、作業中断、安全傾斜の順で判断しているが、順番はこれに限定されるものではなく、全ての判断を同時に行うようにしてもよい。
【０１４７】
また、コントローラ又は低回転速度制御手段が、作業車両の状態を検出するセンサから、直接信号を受け取り、作業車両の状態を判断し、低回転速度制御手段に、エンジンの回転速度を制御する信号を発信するようにしてもよい。
【産業上の利用可能性】
【０１４８】
本発明は、作業車両の中でも、ホイールローダやオフロードダンプのような特殊な構成を有する作業車両の燃料消費量、排気ガス量、騒音及び振動の低下の面で有用であり、産業上の利用可能性が高い。
【符号の説明】
【０１４９】
１    エンジン
１０  回転速度センサ
１１  水温センサ
２    コントローラ
３    電子ガバナ制御手段
４    車両停止状態判断手段
４０  ブレーキセンサ
４１  速度センサ
４２  タイマ
５    作業状態判断手段
５０  作業機操作センサ
５１  作業機位置センサ
５２  作業機負荷センサ
５３  ステアリング操作センサ
６    傾斜状態判断手段
６０  前後傾斜センサ
６１  左右傾斜センサ
７    低回転速度制御手段
【図１】
2010223164.tif 000003
【図２】
2010223164.tif 000004
【図３】
2010223164.tif 000005